(57)【要約】【課題】パチンコ台を、パチンコ島に統一した傾きで取り付けることが難しいという問題があった。これは取り付け時の傾きを制御する実用的な手段がなかったことと、パチンコ台のセル盤面の傾きを把握することができなかったためである。【解決手段】パチンコ台の取り付けを高い傾き精度で設定できる制御手段と、セル盤面の傾きを同様の精度で測定できる測定器を提供し、測定器の表示値の間隔が、傾き制御手段の操作単位と対応するようにして、パチンコ台を統一した傾きで設置できるようにした。【選択図】図９
2008289836.tif 000002
【特許請求の範囲】
【請求項１】
パチンコ島のパチンコ台の装着枠部にパチンコ台を取り付けるにあたり、パチンコ台の取り付け枠を上記の装着枠部内に配置してこの上端部もしくは下端部を止着するとともにこの止着個所に対応する下端部もしくは上端部は操作部を備えた傾き制御手段を介して取り付け、この傾き制御手段の操作部を操作することでパチンコ台の取り付け枠は止着端部を支点として傾き制御手段の取り付け端部をパチンコ島の前後方向に移動するようにし、この取り付け枠にパチンコ台を装着して操作部を操作することで、パチンコ台は下端部もしくは上端部を前後方向に移動するようにしたパチンコ台の取り付け装置において、傾き制御手段の操作部の所定単位の操作によるパチンコ台の下端部もしくは上端部の操作単位の移動値を、パチンコ台のセル盤面の傾きを測定して表示する傾き測定器の表示部の表示値の間隔と対応させたことを特徴とするパチンコ台の取り付け装置。
【請求項２】
パチンコ島のパチンコ台の装着枠部にパチンコ台を取り付けるにあたり、パチンコ台の取り付け枠を装着枠部内に配置してこの上端部を止着するとともに下端部は左右一対に設けた傾き制御手段を介して取り付け、この傾き制御手段を操作することでパチンコ台の取り付け枠が上端部を支点として下端部をパチンコ島の前後方向に移動するようにし、傾き制御手段はパチンコ島の装着枠部に止着した固定部材と、この固定部材とカム機構部によって摺動自在に連結した可動部材と、カム機構部に設けた操作部とで構成し、可動部材をパチンコ台の取り付け枠に止着し、この取り付け枠にパチンコ台を装着して操作部を操作することで、パチンコ台は取り付け枠の上端部を支点として下端部を前後方向に移動するようにしたことを特徴とするパチンコ台の取り付け装置。
【請求項３】
傾き制御手段の固定部材はパチンコ島の装着枠部に止着する取り付け部と正面凹型の立設壁に勾配状にカム溝を形成した摺動部とで構成し、可動部材は固定部材の摺動部を前後方向にスライド自在に収納するコ型の収納部とパチンコ台の取り付け枠に止着する取り付け部とで構成し、カム機構部は可動部材の収納部に回動自在に立設され上部の突出端を操作部としたカムボルトと、このカムボルトに螺着し水平向きにカムを備えたカムナットと、このカムナットのカムを固定部材のカム溝に係合して構成し、カムボルトの操作部を回転するとパチンコ台は取り付け枠の上端部を支点として下端部が前後方向に移動するようにしたことを特徴とする請求項２に記載のパチンコ台の取り付け装置。
【請求項４】
パチンコ島のパチンコ台の装着枠部にパチンコ台を取り付けるにあたり、パチンコ台の取り付け枠を装着枠部内に配置してこの上端部もしくは下端部を位置決めして止着し、次いでこの止着個所に対応する下端部もしくは上端部を、装着枠部に設けた傾き制御手段に係合させて止着個所を支点として取り付け枠を所定の傾きに調整し、調整後に傾き制御手段を取り付け枠に止着し、取り付け枠にパチンコ台を開閉自在に装着してこのセル盤面の傾きを傾き測定器で測定し、所定の傾きと一致しない場合は、パチンコ台を取り付け枠より開いて、傾き制御手段の操作部を測定器の表示値と対応操作してセル盤面の傾きを補正することを特徴とするパチンコ台の取り付け方法。
【発明の詳細な説明】
【技術分野】
【０００１】  この発明はパチンコ島（パチンコ台が並んで設置される構造物）にパチンコ台を所定の傾きで取り付ける装置と、それを用いた取り付け方法に関する。
【背景技術】
【０００２】  図４、図５で示したように、パチンコ台１は裏面側に設けられた取り付け枠２を介して、パチンコ島イの装着枠部３内に所定の傾きで取付けられ、通常はパチンコ台１を正面より見てパチンコ台１の上端部１ａが後方に傾いた状態で取付けられる。【０００３】  この傾きの程度は、パチンコ台１の上端部１ａが鉛直線４に対して後方へ１°以内の傾きで取り付けることが義務付けられている。【０００４】  パチンコの業界ではこの１°以内の最大の傾きを４分５厘と称し（鉛直線４に直角に上端部１ａが１３．６ミリ後方へ傾いた状態）この４分５厘の傾きは約０．９６°であるので、パチンコ台１を４分５厘で取り付けた場合、決められている１°以内の取り付け条件を満たすこととなる。【０００５】  パチンコ台は新規開店の場合以外にも、恒常的に入れ替えが行われるものでありその都度に上記の取り付け条件を満たす範囲で、パチンコ台の機種に応じて所定の傾きで取り付けられるが、この作業は職人的な作業に頼られており、取り付け効率及び精度の上で問題があった。【０００６】  これらの問題を鑑みて取り付け装置を利用したものがある。（例えば、特許文献１参照）【０００７】  以下、図１、図２、図３により従来の取り付け装置を説明する。パチンコ台１は取り付け枠２（上桟２ａ、下桟２ｂ）に取り付けられており、この上桟２ａ及び下桟２ｂはパチンコ島イの装着枠部３（天板３ａと下板３ｂ）に取付部材５及びトグルクランプ６で取り付けられている。【０００８】  取付部材５はラック部材７とこれをスライドできるように収納した保持ブロック８によって、ラック部材７がスライド移動するとパチンコ台１が取り付け枠２の下桟２ｂを支点として上端部１ａを同様に移動して傾きが変えられるようにしている。【０００９】  このラック部材７を傾き調節のために動かすには、図３の調節具９のピニオン歯１０を図２で示した調整孔１１に差し込んでラックピニオン機構によって回転させて行う。１２は蝶ボルト（ストッパー）であり回転操作して、ラック部材７の移動の解除及び固定の作用が行われる。【００１０】
【特許文献１】特許２８１５８４８号公報
【発明の開示】
【発明が解決しようとする課題】
【００１１】  実際に複数店の全台のパチンコ台の取り付け状態を側定したところ、（測定にあたっては本発明に係わる後述の測定器を用いてパチンコ台の後述のセル盤面の傾きを測定した）取り付け条件の１°以内の傾きを遥かに超えている場合を含み、０．５５°（２分５厘）から１．３０°（６分）の範囲でバラツキがあった。このような現状では、第１にパチンコ台の取り付けが設置条件に違反していること、第２に同一の機種が同じ傾きに取り付けられていないので、同一機種のパチンコ玉の入賞確率にバラツキがあり出玉の管理（釘の調整等）が基準のない状態で行なわれており、管理が煩雑になり結果として店の経営に支障をきたしている。【００１２】  これらの課題が今まで放置されてきたのは、第１にパチンコ台の傾きの基準となるセル盤（釘の植えられている盤）の盤面の傾きを実用的に測定できる測定手段が無かったこと、この測定の結果に応じて、もしくは測定しながらでも、実用的な測定手段に対応して傾きの度合いを補正もしくは調整できる取り付け装置がなかったことと、第２に従来の取り付け手段（取り付け方法）で甘んじていたことに起因している。【００１３】  第１の課題を説明すると、セル盤はベニヤ板にプラスチックフィルムを貼った構造であるので、盤面にわずかの凹凸があったり全体で多少の歪みがあったりする場合が多い。従って、盤面の測定個所によっては測定誤差を生ずる。これを測定して実用的に利用できるようにするには、この誤差を先ず測定器の表示が一般的な○°○分で表示する角度表示であると表示値が測定のたびに大きく変わってしまうので利用できず、さらには、例えば当業界で利用されている傾きの単位の４分の傾きに設定したい場合、表示された０．８６°を４分と換算して確認する必要もあり、煩雑で実用には適さない。一方、測定結果に基づいて取り付け装置を操作する上でも、操作の度合いを測定値の割合に応じて微妙に変えなければならないので煩雑な作業となり、１店舗あたり平均４００台前後あるパチンコ台の傾きを設定する上で現実には利用できない。【００１４】  前述の従来の取り付け装置では、ラック部材７と調節具９のピニオン歯１０のピッチはラックピニオン機構として手動操作で利用することを考慮すると小さくても１ｍｍから１．５ｍｍが限度である。【００１５】  ピニオン歯１０のピッチを１．５ｍｍと想定すると調節具９を操作してピニオン歯１０を１歯分回転させるとラック部材７は５厘（１．５ｍｍ）動いてパチンコ台１の上端部１ａを理論的には５厘移動させることとなる。しかしピニオン歯１０とラック部材７との歯合はある程度の遊びがないとスムーズに動くことができないので、設計上多少のガタを必要とし、これが原因で操作後の停止位置の精度が確保されない。このガタ付を防止する上で、操作後にストッパー機能としての蝶ボルト１２で固定するものであるが、ガタ付いた状態で蝶ボルト１２で固定しても固定位置がバラ付いて、必要とするピニオン歯１０のピッチに見合った調整をすることができない。【００１６】  前述の測定手段を解決してセル盤面の傾きを実用的に測定できたとしても、斯様な従来の取り付け装置では、構造および操作上においても測定結果に対応した精度でパチンコ台の傾き��調整することができない。【００１７】  第２の課題のパチンコ台の従来の取り付け手段（取り付け方法）は、図５、図６で示したように、パチンコ台１をパチンコ島イに取り付けるにあたり、先ず取り付け枠２をパチンコ島イの装着枠部３内に入れて、装着枠部３の下板３ｂと取り付け枠２の下端部（下桟２ｂ）の前面の出面をあわせてトグルクランプやビス等で止着し、取り付け枠２の左右の縦桟２ｃと２ｃの前面部２ｄに水準器等の測定器をあて、取り付け枠２を必要とする所定の傾きにあわせながら、取り付け枠２の上端部（上桟２ａ）を従来の取り付け装置やもしくはビス等で止着し、この取り付け枠２にパチンコ台１を装着して、この取り付け枠２の傾きの設定によってパチンコ台１が所定の傾きで取り付けられたものとしていた。【００１８】  パチンコ台１は図７のように、取り付け枠２の片側で開閉するヒンジ構造（パチンコ台１側のヒンジ板１３、１３のヒンジ穴１４、１４に、取り付け枠２側のヒンジ板１５、１５のヒンジピン１６、１６を嵌めて）で取り付け枠２に装着されるものであり、取り付け枠２に対して閉じた状態で施錠されて利用される。このヒンジ板１３と１５の取り付け精度およびパチンコ台１の施錠位置は誤差が大きいので、取り付け枠２の傾きを一定としてもこれに取り付いたパチンコ台１の傾き（セル盤面の傾き）は１台づつ異なった状態となる。このような従来の取り付け手段（取り付方法）では、前述のように多数のパチンコ台のセル盤面の傾きを測定した場合に判明したように、大きな取り付け誤差を生ずる原因となっている。【００１９】  従来、この課題を解決しようとして、セル盤面の傾きを測定する試みもあったが、測定手段と調整手段の両方を関連づけて捉えていないため解決されていない。【００２０】  本発明は、このような従来の構成および方法が有していた問題を解決しようとするものであり、第１にパチンコ台のセル盤面の傾きを実用的に測定できる傾き測定器と、この傾き測定器の測定結果に対応してパチンコ台の傾きを実用的に調整できる取り付け装置を提供し、第２にこれらを用いた取り付け方法を提供することによってパチンコ台の傾きを設置条件に適った傾きで、且つ必要とする所定の傾きに機種ごとに統一して取り付け可能にし、店の出玉管理および経営管理上の便益を計ることを目的とするものである。
【課題を解決するための手段】
【００２１】  そして、本発明は上記目的を達成するために、パチンコ島のパチンコ台の装着枠部にパチンコ台を取り付けるにあたり、パチンコ台の取り付け枠を上記の装着枠部内に配置してこの上端部もしくは下端部を止着するとともにこの止着個所に対応する下端部もしくは上端部は操作部を備えた傾き制御手段を介して取り付け、この傾き制御手段の操作部を操作することでパチンコ台の取り付け枠は止着端部を支点として傾き制御手段の取り付け端部をパチンコ島の前後方向に移動するようにし、この取り付け枠にパチンコ台を装着して操作部を操作することで、パチンコ台は下端部もしくは上端部を前後方向に移動するようにしたパチンコ台の取り付け装置において、傾き制御手段の操作部の所定単位の操作によるパチンコ台の下端部もしくは上端部の操作単位の移動値を、パチンコ台のセル盤面の傾きを測定して表示する傾き測定器の表示部の表示値の間隔と対応させたものである。【００２２】  また、パチンコ島のパチンコ台の装着枠部にパチンコ台を取り付けるにあたり、パチンコ台の取り付け枠を装着枠部内に配置してこの上端部を止着するとともに下端部は左右一対に設けた傾き制御手段を介して取り付け、この傾き制御手段を操作することでパチンコ台の取り付け枠が上端部を支点として下端部をパチンコ島の前後方向に移動するようにし、傾き制御手段はパチンコ島の装着枠部に止着した固定部材と、この固定部材とカム機構部によって摺動自在に連結した可動部材と、カム機構部に設けた操作部とで構成し、可動部材をパチンコ台の取り付け枠に止着し、この取り付け枠にパチンコ台を装着して操作部を操作することで、パチンコ台は取り付け枠の上端部を支点として下端部を前後方向に移動するようにしたものである。【００２３】  また、傾き制御手段の固定部材は、パチンコ島の装着枠部に止着する取付け部と正面凹型の立設壁に勾配状にカム溝を形成した摺動部とで構成し、可動部材は固定部材の摺動部を前後方向にスライド自在に収納するコ型の収納部とパチンコ台の取り付け枠に止着する取付け部とで構成し、カム機構部は可動部材の収納部に回動自在に立設され上部の突出端を操作部としたカムボルトと、このカムボルトに螺着し水平向きにカムを備えたカムナットと、このカムナットのカムを固定部材のカム溝に係合して構成し、カムボルトの操作部を回転するとパチンコ台は取り付け枠の上端部を支点として下端部が前後方向に移動するようにしたものである。【００２４】  また、第２の解決手段は、パチンコ島のパチンコ台の装着枠部にパチンコ台を取り付けるにあたり、パチンコ台の取り付け枠を装着枠部内に配置してこの上端部もしくは下端部を位置決めして止着し、次いでこの止着個所に対応する下端部もしくは上端部を、装着枠部に設けた傾き制御手段に係合させて止着個所を支点として取り付け枠を所定の傾きに調整し、調整後に傾き制御手段を取り付け枠に止着し、取り付け枠にパチンコ台を開閉自在に装着してこのセル盤面の傾きを傾き測定器で測定し、所定の傾きと一致しない場合は、パチンコ台を取り付け枠より開いて、傾き制御手段の操作部を測定器の表示値と対応操作してセル盤面の傾きを補正するようにしたものである。【００２５】  上記第１の課題解��手段による作用は次のとおりである。すなわち、傾き測定器の測定値の表示を角度表示でなく、所定の長さの鉛直線４に対して直角方向の距離をｍｍ単位もしくは分厘単位で表すようにし、さらに、この表示値の間隔をセル盤面の測定誤差に近似するかもしくはそれ以上としたので、セル盤面の傾きを表示値の間隔の範囲の精度で捕らえて測定することができる。
またこの表示値の間隔と、傾き制御手段の操作部の半回転もしくは１回転の操作単位によるパチンコ台の下端部もしくは上端部の移動値を対応させることで、測定結果によって操作部を操作する場合、１回の操作（パチンコ台を取り付け枠より１回開いて、操作して閉じる）で行うことができる。【００２６】  これらの作業を従来の測定器で行おうとする場合、および、本発明の傾き制御手段を用いない場合は、１回で位置決めができないので測定と取り付けの調整を交互に繰り返して補正しながら行わなければならず、その都度にパチンコ台も開閉をくりかえすことになる。【００２７】  また、傾き制御手段はカム機構を利用しているので、操作の停止時にはカムボルト、カムナット、カムおよびカム溝等の係合部の摩擦および構造上の特性によって停止状態が堅固に保持されてガタ付いたりすることがなく、ストッパーを必要とせず操作にあたってもストッパーを解除したり締めたりする必要がない。【００２８】  カムボルトの操作部は、パチンコ台を取り付け枠より前方へ開いた状態で（傾き制御手段の操作状態）水平向きに回転操作するため操作がし易く、この操作も操作部を半回転もしくは１回転を操作単位としているので、操作範囲が広く（例えばカムボルトのネジのピッチを１．５ｍｍとした場合、操作部を１回転するとパチンコ台の傾きは同様に１．５ｍｍすなわち５厘変化する）半回転で２．５厘の調整が可能であるように微細な調整ができる。【００２９】  また、第２の課題解決手段による作用は、先ず取り付け枠を所定の傾きで取り付けるにあたり、この発明の傾き測定器および傾き制御手段によって、高精度で効率よく取り付けることができ、結果としてパチンコ台を取り付けた後の制御手段の操作は、１回の補正操作だけで（パチンコ台の１回の開閉だけで）可能で、また補正の範囲も狭い範囲に限定されるので取り付け精度および作業効率が向上する。
【発明の効果】
【００３０】  上述したように本発明のパチンコ台の取り付け装置と、それを用いた取り付け方法は、パチンコ台を、セル盤面の傾きを基準として多数の台数を現実的かつ効率的に取り付けできるので、設置基準に適った状態で、機種ごとに必要とする傾きに統一して取り付けでき、パチンコ玉の出玉管理が一定の基準のもとで行うことができ、結果して店の出玉率等の計数管理が従来に比較して簡易かつ高精度で行えるようになる。【００３１】また、パチンコ台の新規取り付けや、入れ替えの作業に熟練やカンを必要とせずに、一般者でも数値的に確認して簡易に取り付け作業することができる。取り付け後のパチンコ台は取り付け状態が堅固に維持されるが、パチンコ島自体の傾きに変化等が発生した場合、パチンコ台の傾きを同様に効率的に調整および統一することができ、これらの作業を店の管理の基準として、日常の営業に支障なく定期的に実施することが可能である。
【発明を実施するための最良の形態】
【００３２】  以下、本発明の実施の形態を図６〜図２１に基づいて説明する。【００３３】  パチンコ島イの内部裏側（背面図）を示した図６において、装着枠部３は天板３ａ、下板３ｂと縦桟３ｃよりなりパチンコ島イに一体で設けられている。パチンコ台１の取り付けにあたっては、先ず、装着枠部３に取り付け枠２を所定の傾きでとりつけて、次いで、この取り付け枠２にパチンコ台１を取り付けることになる。【００３４】  取り付け枠２は、図７で示したように上桟２ａ、下桟２ｂ、左右の縦桟２ｃ、２ｃよりなり、図５で示したように、装着枠部３内に装着して上桟２ａと天板３ａおよび下桟２ｂと下板３ｂを、取り付け手段１７（図ではビスやクギを示している）で取り付られる。【００３５】  この発明では取り付け枠２の上桟２ａ、下桟２ｂのいずれか一方に傾き制御手段１８を設けて、この傾き制御手段１８を介して取り付けるようにしている。傾き制御手段１８は図８で示したように、固定部材１９、可動部材２０、カム機構部２１と、このカム機構部２１に形成した操作部２２で構成している。【００３６】  固定部材１９は正面より見て凹型の摺動部２３とこの取り付け部２４とで構成している。摺動部２３の左右の立設壁２５，２５には勾配上にカム溝２６、２６が形成され、長穴２７を有する底部２８の一端の曲折部２９にネジ３０が固着されている。取り付け部２４はＬ型形状の垂直面３１にネジ３０を摺動自在に挿入する長穴３２が穿設され、水平部３３にはネジ穴３４が形成されている。【００３７】  この取り付け部２４は、長穴３２にネジ３０を挿入し、ナット３５で固定して固定部材１９に取り付けられるが、取り付け部２４はナット３５をゆるめて上下に移動することができ、この際に垂直面３１に設けた曲折ガイド３６が曲折部２９を抱いた状態となって上下移動を案内する。【００３８】  可動部材２０はコ型の収納部３７と、この収納部３７の底面に固着した取り付け部３８とで構成されている。収納部３７はガイド穴３９、３９を備えた水平上部４０と水平下部４１の左右外側に曲折ガイド４２が形成され、取り付け部３８は後端に下側に折り曲げた位置決め部５８が、ガイド穴３９の対応個所にはガイド穴３９と連通して径大なガイド穴４３がそれぞれ形成され、収納部３７の左右外側の突出個所にはビス穴４４が穿設されている。【００３９】  カムボルト４５は、上下に空転部４６、４６を備えたネジ部４７と、下端には径大部４８を上端には、尖り先ネジ４９の先端形状に合致するテーパー状の止め付け溝５０より連続して６角レンチ形状５１の操作部２２が形成されている。【００４０】  ５２はカムナットを示し、中心を上下に貫通してネジ部４７と螺合するネジ穴５３と、左右水平方向に突出してカム５４、５４が形成されている。【００４１】  この組み立てにあたっては図８、図９および図１０で示したように、固定部材１９の摺動部２３内に、カム５４がカム溝２６内に係合した状態でカムナット５２を配置して、この固定部材１９を可動部材２０の曲折ガイド４２の案内で収納部３７内に挿入し、次いでカムボルト４５を取り付け部３８のガイド穴４３と水平下部４１のガイド穴３９、および固定部材１９の長穴２７に差込み、カムナット５２のネジ穴５３���ネジ部４７を螺合させて、先端の操作部２２を水平上部４０のガイド穴３９より突出させる。【００４２】  カムボルト４５の径大部４８にはガイド穴４３が、空転部４６、４６には夫々ガイド穴３９、３９が係合し、水平上部４０よりの突出端には止め付け溝５０が臨まれる。次いでこの突出端に滑りワッシャー５５および止めリング５６を配設して、止めリング５６の３方のネジ穴５７に尖り先ネジ４９をねじ込んでカムボルト４５を固定する。【００４３】  固定部材１９の立設壁２５は、可動部材２０の収納部３７内でガタ付なく摺動できるような高さであり、止めリング５６に尖り先ネジ４９をねじ込むことで、先端の尖りテーパー部がカムボルト４５の止め付け溝５０のテーパー部を下方に押圧して、結果として固定部材１９と可動部材２０が適宜な摩擦抵抗でガタツキ無く摺動するように設定している。【００４４】  固定部材１９と可動部材２０は、カムボルト４５、カムナット５２およびカム５４と、このカム５４に係合するカム溝２６で構成したカム機構部２１によって連結され、固定部材１９を取り付けて操作部２２を回転操作することで、可動部材２０は図９において左右方向に移動する。
上記の傾き制御手段１８は、図７で示したように取り付け枠２の裏側の下桟２ｂと、装着枠部３の下板３ｂを連結して左右一対として設けられるが、次にこの取り付けと操作を説明する。【００４５】  図９、図１０および図２１で示したように、装着枠部３の下板３ｂに於けるパチンコ台１と取り付け枠２の設置を予定した所定位置に、傾き制御手段１８を配置しこの取り付け部２４をビス５９で止着して下板３ｂに取り付け、取り付け枠２を装着枠部３内に配置するにあたり、傾き制御手段１８の固定部材１９のナット３５をゆるめて取り付け部３８を持ち上げた状態で下端部（下桟２ｂ）を取り付け部３８の下方に差し入れて位置決め部５８に突き当て、ナット３５を締め付けて下端部の位置を決め、次いで、図１１に示したように上端部（上桟２ａ）の前面の位置決めをして（パチンコ台１が取り付いた状態を想定して決めた位置）ビス６０等の取り付け手段１７で止着する。【００４６】  次に、図２１で示したように取り付け枠２の縦桟２ｃ、２ｃの前面２ｄに傾き測定器６１をあてて傾きを測定し、操作部２２をハンドル６２で回転操作して所定の傾きに一致した状態で取り付け部３８をビス６３で取り付け枠２の下端部（下桟２ｂ）に止着する。この取り付け操作は、取り付け枠２の左右の縦桟２ｃ、２ｃでそれぞれに対応する傾き制御手段１８で片側づつ行う。【００４７】  ハンドル６２は蝶形状のツマミ部６４の下端に操作部２２と嵌合できる操作凹部６５が形成されている。操作凹部６５は図１０で破線で示したように操作部２２の６角形レンチ状５１に自在な位置で嵌合して、カムボルト４５を操作部２２の６角の向きにかかわらず、１回転や半回転等の回転操作がわかり易いように、略水平もしくは略直角の位置より回転できる。【００４８】  固定部材１９のカム溝２６の勾配を４５°とすると、ハンドル６２を１回転することで、可動部材２０はカムボルト４５のネジ部４７の１ピッチの距離分移動し、取り付け枠２は上端部を支点として下端部（下桟２ｂ）を同様距離移動し、回転方向を変えると逆方向に移動する。【００４９】  この操作で、取り付け枠２が所定の傾きで取り付いたら、次にパチンコ台１を図７で示したように取り付け枠２に開閉自在に取り付ける。このパチンコ台１は取り付け枠２に閉じた状態で自動的に施錠（図示せず）される。この開閉はパチンコ台１の前面より開錠操作をしておこなわれる。【００５０】  この発明では、パチンコ台１が取り付け枠２に装着した状態で、パチンコ台１のセル盤面６６の傾きを測定して、このセル盤面６６の傾きを持ってパチンコ台１の傾きとしている。セル盤面６６の傾きを調整するには、図１４で示した前面のガラス面６７を開き、図１１および図１５で示したように傾き測定器６１でセル盤面６６の傾きを測定し、所定の傾きに一致しない場合は、パチンコ台１を施錠を解除して開いて、前述のようにハンドル６２で操作部２２を回転して傾きの補正を行う。【００５１】  カムボルト４５のネジ部４７のネジピッチを、傾きの調整の単位である５厘（１．５ｍｍ）に設定すると、ハンドル６２の１回転で、ネジピッチと同一の５厘、半回転で２．５厘の傾き調整ができ操作が簡素化される。【００５２】  この発明では、上記のハンドル６２の操作単位（１回転および半回転等の単位）と傾き測定器６１の表示部６８の表示値Ａの間隔とを対応させることで、傾き調整の操作が簡単で高精度でおこなえるようにしている。【００５３】  次に傾き測定器６１を説明する。図１３、図１４、図１５で示した傾き測定器６１は、測定面７０にコ型の測定脚７１を設けている。測定脚７１は取り付け穴７２にネジ７３を挿入して測定面７０のネジ穴７４に止着固定されている。測定脚７１の先端面７５、７５と測定面７０は平行とし、さらに図１５で示したようにクギ７６を跨いでセル盤面６６にあてることができるので、セル盤面６６の傾きを測定することができる。７７はＯＮ、ＯＦＦのスイッチ、６８は表示部、Ａは表示値を示している。【００５４】  傾き測定器６１は図１６で示したように、測定脚７１の傾き度合いを角度センサーで感知し、次いでマイクロプロセッサーおよびＰＲＯＭ（プログラム専用メモリー）で演算処理および記憶して、ＬＣＤ表示ドライバよりＬＣＤ表示装置で結果を表示する。【００５５】  表示装置の表示部６８の表示値Ａは、図１１で示したように、取り付け枠２の下端部（下桟２ｂ）の下端前面角より上方へ鉛直線４に沿って１，０００ｍｍの地点での距離を表示し、表示値Ａが１５ｍｍである場合は、図１２の表の表示値Ａ欄の１５ｍｍによってパチンコ台１の傾きをＢ欄で確認することができる。すなわち、取り付け枠２の高さは８１０ｍｍであるので、前述で表示値Ａが１５ｍｍの場合パチンコ台１の傾きＢは１２．１２ｍｍ（４分）となりこの角度Ｑは０．８６°を示す。【００５６】  上記において、傾き測定器６１に図１２と同様な表７８を設けることで、パチンコ台１の傾きＢを確認することができる。取り付け枠２の高さは、関西地方では８２０ｍｍであり、前記の関東地方と異なるが、微小な差であり測定結果には現れないので共通に利用できる。【００５７】  また、プログラム等を変えて表示部６８に直接的にパチンコ台１の傾きＢが分厘単位で表示することも可能であり、この場合は測定がさらに簡素化できる。【００５８】  図１２において、表示値Ａの表示の間隔は１ｍｍとしているので、これに対応してパチンコ台１の傾きＢの表示値の間隔は０．７５５ｍｍ（０．２５厘）となる。例えば、パチンコ台１の傾きＢを４分に設定する予定が、測定の結果、測定値Ａが１３ｍｍ（Ｂが３分５厘）で傾きを５厘プラスしなければならない場合、傾き制御手段１８のカムボルト４５のネジピッチが１．５ｍｍ（５厘）であると、ハンドル６２を時計方向に１回転すると傾きＢが４分に設定される。【００５９】  この発明では、傾き測定器６１の表示値Ａの間隔と、傾き制御手段１８の操作部２２の操作単位（半回転および１回転等の操作単位）を対応させたので、図１１で示したように、測定結果に対応して操作部２２を操作するように、１回の調整でパチンコ台１を所定の傾きに設定できる。【００６０】  セル盤面６６の表面の凹凸や歪み等を原因とする測定誤差は、多数を測定した結果０．６ｍｍの範囲であった。しかるに傾き測定器６１は表示値Ａの表示間隔を１ｍｍとしたので、パチンコ台１の傾きＢの表示値の間隔は０．７５ｍｍであり、上記の誤差を包含する範囲となる。セル盤面６６の傾きを測定した場合に、測定脚７１の測定個所によっては、例えば表示値Ａを１５ｍｍを基準としてこの前後の１４ｍｍもしくは１６ｍｍが表示される場合がある。たとえばパチンコ台１の傾きＢを４分に設定する場合、上記の表示値Ａが１５ｍｍもしくは１４ｍｍか１６ｍｍの場合を４分で設定されたと仮定すると、センター値４分に対して、この前後０．２５厘づつの範囲の公差で設定されたことになり、現実にはこの誤差の範囲（セル盤面６６の測定誤差を包含した範囲）で傾きを設定することができる。【００６１】  上記の傾き制御手段１８は取り付け枠２の下端部（下桟２ｂ）に設けて、この下端部を前後に移動調整することで、結果として上端部（上桟２ａ）の前面の鉛直線４に対する傾きを調整するようにしたが、図１７および図１８では傾き調整手段１８を取り付け枠２の上端部（上桟２ａ）に取り付けて、この操作によって、前述と同様手段で止着した下端部（下桟２ｂ）を支点として上端部（上桟２ａ）を移動させる例を示している。【００６２】  この傾き制御手段１８は、前述の手段と略同様なものであり、相違個所は、固定部材が可動側に取り付き、可動部材が固定側に取り付くものであり、固定部材を７９、可動部材を８０として説明する。固定部材７９は上面に取り付け部８１が溶接によって一体化され、この取り付け部８１は延長端部を装着枠部３の天板３ａの上面に臨ませ、ボルト穴８２を挿通した皿ボルト８３をネジ穴８４に螺着して固定されている。【００６３】  可動部材８０は摺動部２３の底部の延長端部を取り付け枠２の上桟２ａの下面に臨ませ、ネジ穴８５を介してビス８６で固定されている。
以下は前述と同様の構成であり、ハンドル６２を操作部２２に嵌めて回転することで同様の作用が営まれる。【００６４】  図１９および図２０は可動部材２０の取り付け部３８の他の実施例を示している。取り付け枠２は一般的には木製であるために、パチンコ台１の度々の交換で取り付けの度にビス穴があいて、再度利用したり販売する場合に支障があり、これを解決する手段として、材質をプラスチックやアルミ等を利用して、事前に設けたネジ穴によって取り付ける物がでている。実施例では従来の木製の取り付け枠２の問題点を解決し、さらに別材質の取り付け枠２においても傾き制御手段１８の取り付けができるようにしている。【００６５】  この取り付け部８７は、コ型の咥え板８８と押さえ板８９とで構成している。咥え板８８は従来の取り付け部３８の下面に溶接やネジ止め（図示せず）で一体に固着され、取り付け部３８に設けられた左右の止め穴９０との対応個所にネジ９１が螺合するネジ穴９２が形成されている。押さえ板８９は、取り付け枠２の下桟２ｂの上面で、咥え板８８の上板８８ａとの対応個所に両面テープ等による仮止め状態で設けられている。【００６６】  取り付けにあたっては、取り付け枠２の下桟２ｂの下面に咥え板８８の下板８８ｂを差し込んで下桟２ｂに付き当てた状態で、ネジ９１を締め付けて固定する。押さえ板８９はアルミ等の比較的軟らかい材質としているので、ネジ９１の先端が下桟２ｂに喰い込み、さらに下板８８ｂを持ち上げて取り付け枠２の下桟２ｂを押圧して咥えるので、取り付け枠２に外部より強い力が加わってもズレたりガタ付くことをがない。取り付け枠２が木製以外の硬質な材料の場合は、事前に設けられている取り付け穴やネジ穴個所に、同様にネジ位置をあわせることでネジ９１の先端が喰い込んで同様に堅固に固定する。９２はゆるみ止めのスプリングワッシャーを示す。
【図面の簡単な説明】
【００６７】
【図１】従来の取り付け装置を示すパチンコ島の断面図
【図２】［図１］の取り付け装置の要部断面図
【図３】従来の取り付け装置で使用する調節具の斜視図
【図４】パチンコ台の従来の取り付け状態を示す、パチンコ島内部の背面図
【図５】パチンコ台の従来の取り付け状態を示す、パチンコ島の断面図
【図６】本発明の取り付け装置を示すパチンコ島内部の背面図
【図７】パチンコ台の開閉ヒンジ構造を示す斜視図
【図８】取り付け装置としての傾き制御手段の分解図
【図９】傾き制御手段の操作状態を示すパチンコ島の断面図
【図１０】同上平面図
【図１１】傾き測定器の測定状態を示すパチンコ島の断面図
【図１２】傾き測定器の表示内容の説明図
【図１３】傾き測定器の分解図
【図１４】傾き測定器の測定状態を示すパチンコ台の斜視図
【図１５】傾き測定器の測定状態を示すセル盤面の断面図
【図１６】傾き測定器の動作を示すフローチャート図
【図１７】他の傾き制御手段を示す分解図
【図１８】他の傾き制御手段を示すパチンコ島の断面図
【図１９】傾き制御手段の、他の取り付け部を示す斜視図
【図２０】同上パチンコ島の断面図
【図２１】パチンコ台の取り付け枠の測定状態を示す、パチンコ島の断面図
【符号の説明】
【００６８】    イ・・・パチンコ島
１・・・パチンコ台
２・・・取り付け枠
３・・・装着枠部
４・・・鉛直線
１８・・・傾き制御手段
１９・・・固定部材
２０・・・可動部材
２１・・・カム機構部
２２・・・操作部
２３・・・摺動部
２４・・・取り付け部
２５・・・立設壁
２６・・・カム溝
３７・・・収納部
３８・・・取り付け部
４５・・・カムボルト
４７・・・ネジ部
５２・・・カムナット
５４・・・カム
６１・・・測定器
６２・・・ハンドル
６６・・・セル盤面
６８・・・表示部
７１・・・測定脚
Ａ・・・表示値
【図１】
2008289836.tif 000003
【図２】
2008289836.tif 000004
【図３】
2008289836.tif 000005
【図４】
2008289836.tif 000006
【図５】
2008289836.tif 000007
【図６】
2008289836.tif 000008
【図７】
2008289836.tif 000009
【図８】
2008289836.tif 000010
【図９】
2008289836.tif 000011
【図１０】
2008289836.tif 000012
【図１１】
2008289836.tif 000013
【図１２】
2008289836.tif 000014
【図１３】
2008289836.tif 000015
【図１４】
2008289836.tif 000016
【図１５】
2008289836.tif 000017
【図１６】
2008289836.tif 000018
【図１７】
2008289836.tif 000019
【図１８】
2008289836.tif 000020
【図１９】
2008289836.tif 000021
【図２０】
2008289836.tif 000022
【図２１】
2008289836.tif 000023